(57)【要約】【課題】    平板状のカード本体を立設して、挟持対象物を任意に立設挟持できて、且つ、コンパクト収めて便利に持ち運びできる多機能なスタンドカードを提供する。【解決手段】    内部摺動板を備えたスタンドカードであって、立設手段（60）によりカード本体を立設するとともに、内部に備えられた内部摺動板（50）を外方及び内方へ摺動させ、  挟入挟持部（800）をカード本体の前面側及び端辺側に任意に露出形成し、該挟入挟持部（800）を利用して挟持対象物（16）を立設挟持する。【選択図】    図1
2012218152.tif 000002
【特許請求の範囲】
【請求項１】
内部に摺動板を備え、本体を立設して利用できるスタンドカードであって、  
Ａ．  カード本体（10）の両側面をなす表側平板（21）と裏側平板（22）と、  
Ｂ．  前記表側平板（21）と前記裏側平板（22）とを重ね合わせ少なくとも一方端を開放した空隙部（30）と、  
Ｃ．  前記空隙部（30）に摺動可能に備えられた1又は2以上の内部摺動板（50）と、  
Ｄ．  前記カード本体（10）の周辺端の一部又は平板（20）表面の一部を欠切した押出用欠切部（40）と、  
Ｅ．  前記内部摺動板（50）の一部又は裏側平板（22）の一部を折曲した片部で構成し、前記表側平板（21）を背面に傾けて立設する立設手段（60）と、  
Ｆ．  前記内部摺動板（50）の一部を構成する片部であり、挟持構成部の背面板をになう基板片部（70）と、  
Ｇ．  前記基板片部（70）の表面に接着固定部（90）を介して取り付けられた可撓性挟持板（80）と、  
Ｈ．  前記接着固定部（90）の位置から対峙して外方へ延出した前記可撓性挟持板（80）の片部で挟持する挟入挟持部（800）と、
Ｉ．  前記挟入挟持部（800）において、前記可撓性挟持板（80）により密着状態又は抜き差し可能な接触状態で挟持できる挟持部辺長（850）とからなり、  
Ｊ．  スタンドカードとして立設して利用する場合は、前記立設手段（60）により前記カード本体（10）を立設するとともに、  
Ｋ．  前記挟入挟持部（800）を有する前記内部摺動板（50）を、前記可撓性挟持板（80）の片部が露出するように外方及び内方へ摺動させ、前記挟入挟持部（800）を前記カード本体（10）の前面側及び端辺側に任意に露出形成し、挟持対象物（16）を立設挟持することが可能な、内部摺動板を備えたスタンドカード。
【請求項２】
内部に摺動板を備え、本体を立設して利用できるスタンドカードであって、請求項1について、  
Ａ．  前記接着固定部（90）を介し対峙させて一方に設けた第１挟入挟持部（801）と他方に設けた第２挟入挟持部（802）と、  
Ｂ．  前記第１挟入挟持部（801）において、第１可撓性挟持板片部（81）を用いて挟持対象物（16）を抜き差し可能な接触状態で挟持できる第１挟持部辺長（851）と、  
Ｃ．  前記第２挟入挟持部（802）において、第２可撓性挟持板片部（82）を用いて挟持対象物（16）を密着状態で挟持できて且つ前記第１挟持部辺長（851）より短い辺長をなす第２挟持部辺長（852）とからなり、  
Ｄ．  スタンドカードとして立設して利用する場合は、前記立設手段（60）により前記カード本体（10）を立設するとともに、  
Ｅ．  前記挟入挟持部（800）を有する前記内部摺動板（50）を、前記第２可撓性挟持板片部（82）と前記第１可撓性挟持板片部（81）の順に片部が露出するように外方へ摺動させ、その後、前記第１可撓性挟持板片部（81）が前記カード本体（10）の前面側に露出するように、前記表側平板（21）の一端辺を前記第１挟入挟持部（801）に挟入挟持させ、  
Ｆ.  前記第１挟入挟持部（801）を前記カード本体（10）の前面側に、及び、前記第２の挟入挟持部（802）を前記カード本体（10）の端辺側に任意に露出形成し、前記挟持対象物（16）を立設挟持することが可能な、請求項1に記載の内部摺動板を備えたスタンドカード。
【請求項３】
内部に1枚の摺動板を備え、本体を立設して利用できるスタンドカードであって、請求項1〜2について、
Ａ.  前記空隙部（30）に摺動可能に備えられた1枚の内部摺動板（51）と、
Ｂ.  前記内部摺動板（51）の片側の片部をなし、外方へ引き抜いて折曲線（106）で折曲する立設用折曲片部（61）と、
Ｃ.  前記内部摺動板（51）の一部を構成する基板片部（71）と、
Ｄ.  前記基板片部（71）の前面に取り付けられ、片部材が透明又は半透明である前記可撓性挟持板片部（8１、82）と、
Ｅ.  前記基板片部（71）の前面に設けられた前記挟入挟持部（801、802）と、
Ｆ.  前記基板片部（71）の一方の端をなす基板片第１端辺（701）と、他方の端をなす基板片第2端辺（70２）と、
Ｇ.  前記カード本体（10）の一方の端辺を欠切した押出用欠切部（41）と、  
Ｈ.  前記内部摺動板（51）の端辺側の一部を欠切した引抜き用欠切部（46）とからなり、  
Ｉ.  スタンドカードとして立設して利用する場合は、前記立設手段（60）として前記立設用折曲片部（61）を用いて前記カード本体（10）を立設するとともに、  
Ｊ.  前記基板片第１端辺（701）と前記基板片第2端辺（702）の位置を左右に入れ替えて、前記内部摺動板（51）を前記空隙部（30）に差し込むことで、対峙させた前記挟入挟持部（801、802）の位置を左右に入れ替えて露出形成し、挟持対象物（16）を立設挟持することが可能な、請求項1〜2に記載の内部摺動板を備えたスタンドカード。
【請求項４】
内部に2枚の摺動板を備え、本体を立設して利用できるスタンドカードであって、請求項1〜2について、
Ａ. 前記空隙部（30）に摺動可能に備えられた第1内部摺動板（52）と第２内部摺動板（53）と、
Ｂ.  前記第1内部摺動板（52）の片側の片部をなし、外方へ引き抜いて折曲線（107）で折曲する立設用折曲片部（６2）と、  
Ｃ.  前記第２内部摺動板（53）の略全体で構成する基板片部（72）と、  
Ｄ.  前記基板片部（72）の前面に取り付けられ、片部材が透明又は半透明である前記可撓性挟持板片部（8１、82）と、
Ｅ.  前記基板片部（72）の前面に設けられた前記挟入挟持部（801、802）と、
Ｆ.  前記基板片部（72）の一方の端をなす基板片第１端辺（703）と、他方の端をなす基板片第2端辺（704）と、
Ｇ.  前記カード本体（10）の一方の端辺を欠切した押出用欠切部（41）と、  
Ｈ.  前記第1内部摺動板（52）の端辺側の一部を欠切して係合引抜きする、引抜き用欠切部（47）と、  
Ｉ.  前記第２内部摺動板（53）の端辺側の一部を欠切して係合引抜きする、引抜き用欠切部（48）とからなり、  
Ｊ.  スタンドカードとして立設して利用する場合は、前記立設手段（60）として前記立設用折曲片部（62）を用いて前記カード本体（10）を立設するとともに、  
Ｋ.  前記基板片第１端辺（703）と前記基板片第2端辺（704）の位置を左右に入れ替えて、前記内部摺動板（53）を前記空隙部（30）に差し込むことで、対峙させた前記挟入挟持部（801、802）の位置を左右に入れ替えて挟持対象物（16）を立設挟持することが可能な、請求項1〜2に記載の内部摺動板を備えたスタンドカード。
【請求項５】
前記カード本体（10）は、名刺、カレンダー、広告カード、磁気記録カード又はＩＣカードである、請求項1〜4に記載の内部摺動板を備えたスタンドカード。
【請求項６】
前記基板片部（70）の表側面又は裏側面に、文字、記号、絵又は写真画像等の情報を印刷した情報表示部（15）を設け、該情報表示部（15）を前記カード本体（10）の一端辺側に摺動露出させて立設表示することが可能な、請求項1〜5に記載の内部摺動板を備えたスタンドカード。
【請求項７】
前記空隙部（30）の上端側に上端接合板（23）を設け下端側に下端接合板（24）を設け、前記空隙部（30）に貫通するように前記下端接合板（24）の一部を欠切してゼムクリップ挿入部（31）を形成し、該ゼムクリップ挿入部（31）にゼムクリップを挿入して前記カード本体（10）の前面側にさらにゼムクリップ挟持できるようにした、請求項1〜6に記載の内部摺動板を備えたスタンドカード。
【請求項８】
摺動板を備えたスタンドカードを用いて、前記カード本体（10）の前面側及び端辺側に挟持対象物（16）を任意に立設挟持できる、スタンドカードを用いた立設挟持方法であって、  
Ａ.  前記立設手段（60）として前記立設用折曲片部（61、62）により前記カード本体（10）を立設する工程と、  
Ｂ.  前記挟入挟持部（801、802）を有する前記内部摺動板（50）を、前記第２可撓性挟持板片部（82）と前記第１可撓性挟持板片部（8１）の順に片部が露出するように外方へ摺動させる工程と、  
Ｃ.  前記第１可撓性挟持板片部（81）が前記カード本体（10）の前面側に露出するように、前記表側平板（21）の一端辺を前記第１挟入挟持部（80１）に挟入挟持させる工程と、  
Ｄ.  前記カード本体（10）の前面側に露出形成した前記第１挟入挟持部（80１）、及び、前記カード本体（10）の端辺側に露出形成した前記第２挟入挟持部（802）に、前記挟持対象物（16）を立設挟持する工程と、  
Ｅ.  さらに、前記基板片部（70）の端辺を左右に入れ替えて前記空隙部（30）に差し込む工程と、  
Ｆ.  左右に入れ替えて露出形成した前記挟入挟持部（802、801）に、前記挟持対象物（16）を立設挟持する工程とを具備する、スタンドカードを用いた立設挟持方法。
【発明の詳細な説明】
【技術分野】
【０００１】
本発明は、  名刺、カレンダーカード、広告カード、磁気記録カード、ＩＣカード等の平板状の情報カードを机上等に立設して多機能に利用できるスタンドカードに関するものであり、詳しくは、本体を立設して内部に備えられた摺動板を用い挟持対象物を任意に立設挟持し、多機能に利用できるスタンドカードに関する。
【背景技術】
【０００２】
従来、「摺動板を備えたカード、立設するカード」に関連した技術として、以下のようなものが提示されてきた。  
例えば、特許文献１〜5は「内部摺動板を備えた、カード・名刺・カレンダー等」に関する技術であり、特許文献6〜8は「略直角に折曲した片部で立設する、カード・名刺・カレンダー等」に関する技術であり、特許文献9〜12は「三角柱状に組み立てて立設する、カード・名刺・カレンダー等」に関する技術であり、特許文献13〜14は「2以上の切片を係合組立てして立設する、カード・名刺・カレンダー等」に関する技術である。
【先行技術文献】
【特許文献】
【０００３】
【特許文献１】実明-6291
【特許文献２】ＧＢ-Esp-437411（英国：Esp出願No.ＧＢ193500004938）
【特許文献３】実開Ｓ61-192880
【特許文献４】ＦＲ-2729340（仏国）
【特許文献５】実登3079719
【特許文献６】実開Ｈ2-150281
【特許文献７】実開Ｈ3-8579
【特許文献８】ＣＡ-2451623（加国）
【特許文献９】実開Ｓ61-087978
【特許文献１０】実開平5-88978
【特許文献１１】特登2824898
【特許文献１２】特開2005-131792
【特許文献１３】特開2005-161662
【特許文献１４】特開2006-35577
【発明の概要】
【発明が解決しようとする課題】
【０００４】
これらの先行技術は、その当時に新規で効率的・有効に利用できて、それぞれがたいへんすばらしい技術であった。しかしながら、これらには次のような不便さ・問題点（欠点）があった。なお以下においては、上記の先行技術を大きく4つ（分類1〜4）に分けて説明していく。
【０００５】
分類1として、特許文献１〜5は「内部摺動板を備えた、カード・名刺・カレンダー等」に関する技術であり、
・特許文献１  ‥‥  実明-6291  （明治39年/1906年：在否案内機）
・特許文献２  ‥‥  ＧＢ-Esp-437411（英国：Esp出願1935年：カード）
・特許文献３  ‥‥  実開Ｓ61-192880（1986年：名刺）  
・特許文献４  ‥‥  ＦＲ-2729340（仏国1996年：カード）  
・特許文献５  ‥‥  実登3079719（2001年：カード）
である。  
これらは本体内部に表示用摺動板やカードを収納したものであるが、本体を任意に立設したり任意の位置で挟持対象物を挟持する機能は持ち合わせていなかった。
【０００６】
分類2として、特許文献6〜8は「略直角に折曲した片部で立設する、カード・名刺・カレンダー等」に関する技術であり、  
・特許文献６  ‥‥  実開Ｈ2-150281（1990年：名刺）  
・特許文献７  ‥‥  実開Ｈ3-8579（1991年：摺動板付き卓上カレンダー）  
・特許文献８  ‥‥  ＣＡ-2451623（加国2002年：カードホルダー）
である。  
これらは本体を折曲した片部で立設できるが、一度折曲した片部を形成してしまうと小さな突起部ができてしまい、もとの完全な平板状カードとして利用できない。また、任意の位置で挟持対象物を挟持する機能は持ち合わせていない。
【０００７】
分類3として、特許文献9〜12は「三角柱状に組み立てて立設する、カード・名刺・カレンダー等」に関する技術であり、  
・特許文献９    ‥‥  実開Ｓ61-087978（1986年：名刺）  
・特許文献１０  ‥‥  実開平5-88978（1993年：卓上カレンダーホルダー）  
・特許文献１1  ‥‥  特登2824898（1996年：カードホルダー）  
・特許文献１2  ‥‥  特開2005-131792（2005年：卓上カレンダー）
である。  
これらは本体を略三角柱状に組み立てて安定して立設できるが、一度立体形状を形成してしまうと、もとの完全な平板形態に戻してカード等に利用できない。また、任意の位置で挟持対象物を挟持する機能は持ち合わせていない。
【０００８】
分類4として、特許文献13〜14は「2以上の切片を係合組立てして立設する、カード・名刺・カレンダー等」に関する技術であり、  
・特許文献１3  ‥‥  特開2005-161662（2005年：卓上カレンダー立）  
・特許文献１4  ‥‥  特開2006-35577（2006年：卓上カードスタンド）
である。  
これらは本体を2以上の切片を係合組立てして安定して立設できるが、一度立体形状を形成してしまうと、もとの完全な平板形態に戻してカード等に利用できない。また、任意の位置で挟持対象物を挟持する機能は持ち合わせていない。
【課題を解決するための手段】
【０００９】
上記の問題点（課題）を解決するために、以下のようなそれぞれの手段を設けた。なお、請求項１に記載の内部摺動板を備えたスタンドカードについては、以下の課題解決手段の説明において、主に「図1〜2、5」を参考にされたい。  
請求項１に記載の内部摺動板を備えたスタンドカードは、内部に摺動板を備え、本体を立設して利用できるスタンドカードであって、  Ａ．カード本体（10）の両側面をなす表側平板（21）と裏側平板（22）と、  Ｂ．前記表側平板（21）と前記裏側平板（22）とを重ね合わせ少なくとも一方端を開放した空隙部（30）と、  Ｃ．前記空隙部（30）に摺動可能に備えられた1又は2以上の内部摺動板（50）と、  Ｄ．前記カード本体（10）の周辺端の一部又は平板（20）表面の一部を欠切した押出用欠切部（40）と、  Ｅ．前記内部摺動板（50）の一部又は裏側平板（22）の一部を折曲した片部で構成し、前記表側平板（21）を背面に傾けて立設する立設手段（60）と、  Ｆ．前記内部摺動板（50）の一部を構成する片部であり、挟持構成部の背面板をになう基板片部（70）と、  Ｇ．前記基板片部（70）の表面に接着固定部（90）を介して取り付けられた可撓性挟持板（80）と、  Ｈ．前記接着固定部（90）の位置から対峙して外方へ延出した前記可撓性挟持板（80）の片部で挟持する挟入挟持部（800）と、  Ｉ．前記挟入挟持部（800）において、前記可撓性挟持板（80）により密着状態又は抜き差し可能な接触状態で挟持できる挟持部辺長（８５０）とからなり、  Ｊ．スタンドカードとして立設して利用する場合は、前記立設手段（60）により前記カード本体（10）を立設するとともに、  Ｋ．前記挟入挟持部（800）を有する前記内部摺動板（50）を、前記可撓性挟持板（80）の片部が露出するように外方及び内方へ摺動させ、前記挟入挟持部（800）を前記カード本体（10）の前面側及び端辺側に任意に露出形成し、挟持対象物（16）を立設挟持する手段を設けている。
【００１０】
請求項2に記載の内部摺動板を備えたスタンドカードについては、以下の課題解決手段の説明において、主に「図3〜4、5」を参考にされたい。  
請求項２に記載の内部摺動板を備えたスタンドカードは、内部に摺動板を備え、本体を立設して利用できるスタンドカードであって、請求項1について、  Ａ．前記接着固定部（90）を介し対峙させて一方に設けた第１挟入挟持部（801）と他方に設けた第２挟入挟持部（802）と、  Ｂ．前記第１挟入挟持部（80１）において、第１可撓性挟持板片部（8１）を用いて挟持対象物（16）を抜き差し可能な接触状態で挟持できる第１挟持部辺長（851）と、  Ｃ．前記第２挟入挟持部（802）において、第２可撓性挟持板片部（82）を用いて挟持対象物（16）を密着状態で挟持できて且つ前記第１挟持部辺長（851）より短い辺長をなす第２挟持部辺長（852）とからなり、  Ｄ．スタンドカードとして立設して利用する場合は、前記立設手段（60）により前記カード本体（10）を立設するとともに、  Ｅ．前記挟入挟持部（800）を有する前記内部摺動板（50）を、前記第２可撓性挟持板片部（82）と前記第１可撓性挟持板片部（8１）の順に片部が露出するように外方へ摺動させ、その後、前記第１可撓性挟持板片部（8１）が前記カード本体（10）の前面側に露出するように、前記表側平板（21）の一端辺を前記第１挟入挟持部（80１）に挟入挟持させ、  Ｆ．前記第１挟入挟持部（80１）を前記カード本体（10）の前面側に、及び、前記第２の挟入挟持部（802）を前記カード本体（10）の端辺側に任意に露出形成し、前記挟持対象物（16）を立設挟持する手段を設けている。
【００１１】
請求項3に記載の内部摺動板を備えたスタンドカードについては、以下の課題解決手段の説明において、主に「図6〜9、5」を参考にされたい。  
請求項3に記載の内部摺動板を備えたスタンドカードは、  内部に1枚の摺動板を備え、本体を立設して利用できるスタンドカードであって、請求項1〜2について、  Ａ.前記空隙部（30）に摺動可能に備えられた1枚の内部摺動板（51）と、  Ｂ.前記内部摺動板（51）の片側の片部をなし、外方へ引き抜いて折曲線（106）で折曲する立設用折曲片部（61）と、  Ｃ.前記内部摺動板（51）の一部を構成する基板片部（71）と、  Ｄ.前記基板片部（71）の前面に取り付けられ、片部材が透明又は半透明である前記可撓性挟持板片部（8１、82）と、  Ｅ.前記基板片部（71）の前面に設けられた前記挟入挟持部（801、802）と、  Ｆ.前記基板片部（71）の一方の端をなす基板片第１端辺（701）と、他方の端をなす基板片第2端辺（702）と、  Ｇ.前記カード本体（10）の一方の端辺を欠切した押出用欠切部（41）と、  Ｈ.前記内部摺動板（51）の端辺側の一部を欠切した引抜き用欠切部（46）とからなり、  Ｉ.スタンドカードとして立設して利用する場合は、前記立設手段（60）として前記立設用折曲片部（61）を用いて前記カード本体（10）を立設するとともに、  Ｊ.前記基板片第１端辺（701）と前記基板片第2端辺（70２）の位置を左右に入れ替えて、前記内部摺動板（51）を前記空隙部（30）に差し込むことで、対峙させた前記挟入挟持部（801、802）の位置を左右に入れ替えて露出形成し、挟持対象物（16）を立設挟持する手段を設けている。
【００１２】
請求項4に記載の内部摺動板を備えたスタンドカードについては、以下の課題解決手段の説明において、主に「図10〜13、5」を参考にされたい。  
請求項4に記載の内部摺動板を備えたスタンドカードは、内部に2枚の摺動板を備え、本体を立設して利用できるスタンドカードであって、請求項1〜2について、  Ａ.前記空隙部（30）に摺動可能に備えられた第1内部摺動板（52）と第２内部摺動板（53）と、  Ｂ.前記第1内部摺動板（52）の片側の片部をなし、外方へ引き抜いて折曲線（107）で折曲する立設用折曲片部（６2）と、  Ｃ.前記第２内部摺動板（53）の略全体で構成する基板片部（72）と、  Ｄ.前記基板片部（72）の前面に取り付けられ、片部材が透明又は半透明である前記可撓性挟持板片部（8１、82）と、  Ｅ.前記基板片部（72）の前面に設けられた前記挟入挟持部（801、802）と、  Ｆ.前記基板片部（72）の一方の端をなす基板片第１端辺（703）と、他方の端をなす基板片第2端辺（704）と、  Ｇ.前記カード本体（10）の一方の端辺を欠切した押出用欠切部（41）と、  Ｈ.前記第1内部摺動板（52）の端辺側の一部を欠切して係合引抜きする、引抜き用欠切部（47）と、  Ｉ.前記第２内部摺動板（53）の端辺側の一部を欠切して係合引抜きする、引抜き用欠切部（48）とからなり、  Ｊ.スタンドカードとして立設して利用する場合は、前記立設手段（60）として前記立設用折曲片部（62）を用いて前記カード本体（10）を立設するとともに、  Ｋ.前記基板片第１端辺（703）と前記基板片第2端辺（704）の位置を左右に入れ替えて、前記内部摺動板（53）を前記空隙部（30）に差し込むことで、対峙させた前記挟入挟持部（801、802）の位置を左右に入れ替えて挟持対象物（16）を立設挟持する手段を設けている。
【００１３】
請求項5に記載の内部摺動板を備えたスタンドカードについては、以下の課題解決手段の説明において、主に「図14〜17、5」を参考にされたい。  
請求項5に記載の内部摺動板を備えたスタンドカードは、請求項1〜4について、前記カード本体（10）を、名刺、カレンダー、広告カード、磁気記録カード又はＩＣカードとして用いる手段を設けている。
【００１４】
請求項6に記載の内部摺動板を備えたスタンドカードについては、以下の課題解決手段の説明において、主に「図14〜17、5」を参考にされたい。  
請求項6に記載の内部摺動板を備えたスタンドカードは、請求項1〜5について、前記基板片部（70）の表側面又は裏側面に、文字、記号、絵又は写真画像等の情報を印刷した情報表示部（15）を設け、該情報表示部（15）を前記カード本体（10）の一端辺側に摺動露出させて立設表示する手段を設けている。
【００１５】
請求項7に記載の内部摺動板を備えたスタンドカードについては、以下の課題解決手段の説明において、主に「図14〜17、5」を参考にされたい。  
請求項7に記載の内部摺動板を備えたスタンドカードは、請求項1〜6について、前記空隙部（30）の上端側に上端接合板（23）を設け下端側に下端接合板（24）を設け、前記空隙部（30）に貫通するように前記下端接合板（24）の一部を欠切してゼムクリップ挿入部（31）を形成し、該ゼムクリップ挿入部（31）にゼムクリップを挿入して前記カード本体（10）の前面側にさらにゼムクリップ挟持できるようにした手段を設けている。
【００１６】
請求項8に記載のスタンドカードを用いた立設挟持方法については、以下の課題解決手段の説明において、主に「図1〜4」を参考にされたい。  
請求項8に記載のスタンドカードを用いた立設挟持方法は、  摺動板を備えたスタンドカードを用いて、前記カード本体（10）の前面側及び端辺側に挟持対象物（16）を任意に立設挟持できる、スタンドカードを用いた立設挟持方法であって、  Ａ.前記立設手段（60）として前記立設用折曲片部（61、62）により前記カード本体（10）を立設する工程と、  Ｂ.前記挟入挟持部（801、802）を有する前記内部摺動板（50）を、前記第２可撓性挟持板片部（8２）と前記第１可撓性挟持板片部（8１）の順に片部が露出するように外方へ摺動させる工程と、  Ｃ.前記第１可撓性挟持板片部（8１）が前記カード本体（10）の前面側に露出するように、前記表側平板（21）の一端辺を前記第１挟入挟持部（801）に挟入挟持させる工程と、  Ｄ.前記カード本体（10）の前面側に露出形成した前記第１挟入挟持部（801）、及び、前記カード本体（10）の端辺側に露出形成した前記第２挟入挟持部（80２）に、前記挟持対象物（16）を立設挟持する工程と、  Ｅ. さらに、前記基板片部（70）の端辺を左右に入れ替えて前記空隙部（30）に差し込む工程と、  Ｆ.左右に入れ替えて露出形成した前記挟入挟持部（802、801）に、前記挟持対象物（16）を立設挟持する工程とを具備した手段を設けている。
【発明の効果】
【００１７】
本発明の内部摺動板を備えたスタンドカードは、本体を机等の平面上に任意に立設したり、挟持対象物を任意の位置でを立設挟持することができる。また、一度折曲した片部を主に本体内部に収めて略平板状に戻せるので、カードとしての持ち運びに優れている。このようにコンパクトな１枚カードで多機能性を備えたものとなっている。
従って、このスタンドカードは、オフィスの机上に置いてカード・写真等を挟持して立てたり、パソコンのデータ入力作業時のメモ立て等にも利用できる。さらに、コンパクトに収めて持ち運びにも優れているので、社外打合せの場所や展示会場等でも平面上にカードを立設して多機能に利用できるし、また、このスタンドカードを名刺・広告カード等の営業ツールとして顧客に渡せば、更なる営業・宣伝効果が期待できる。
【図面の簡単な説明】
【００１８】
【図１】内部摺動板を備えたスタンドカード（ＳＣＤ（ＣＬ1）：請求項1）の斜視図である。前方側斜視図と後方側斜視図を示している。
【図２】内部摺動板を備えたスタンドカード（ＳＣＤ（ＣＬ1）：請求項1）の分解図である。
【図３】内部摺動板を備えたスタンドカード（ＳＣＤ（ＣＬ2）：請求項2）の斜視図である。前方側斜視図と後方側斜視図を示している。
【図４】内部摺動板を備えたスタンドカード（ＳＣＤ（ＣＬ2）：請求項2）の分解図である。
【図５】内部摺動板を備えたスタンドカード（ＳＣＤ）の全体系統図である。
【図６】内部摺動板を備えたスタンドカード（タイプＳＣＤ.1（ＣＬ3）：請求項3）の斜視図である。前方側斜視図と後方側斜視図を示している。
【図７】内部摺動板を備えたスタンドカード（タイプＳＣＤ.1（ＣＬ3）：請求項3）の分解図である。
【図８】内部摺動板を備えたスタンドカード（タイプＳＣＤ.1）の利用例1である。
【図９】内部摺動板を備えたスタンドカード（タイプＳＣＤ.1）の利用例2である。
【図１０】内部摺動板を備えたスタンドカード（タイプＳＣＤ.2（ＣＬ4）：請求項4）の斜視図である。前方側斜視図と後方側斜視図を示している。
【図１１】内部摺動板を備えたスタンドカード（タイプＳＣＤ.2（ＣＬ4）：請求項4）の分解図である。
【図１２】内部摺動板を備えたスタンドカード（タイプＳＣＤ.2）の利用例1である。
【図１３】内部摺動板を備えたスタンドカード（タイプＳＣＤ.2）の利用例2である。
【図１４】内部摺動板を備えたスタンドカード（タイプＳＣＤ.1（ＣＬ5〜7）：請求項5〜7）の斜視図である。前方側斜視図と後方側斜視図を示している。
【図１５】内部摺動板を備えたスタンドカード（タイプＳＣＤ.1（ＣＬ5〜7）：請求項5〜7）の利用例である。
【図１６】内部摺動板を備えたスタンドカード（タイプＳＣＤ.2（ＣＬ5〜7）：請求項5〜7）の斜視図である。前方側斜視図と後方側斜視図を示している。
【図１７】内部摺動板を備えたスタンドカード（タイプＳＣＤ.2（ＣＬ5〜7）：請求項5〜7）の利用例である。
【図１８】内部摺動板を備えたスタンドカード（タイプＳＣＤ.1（Ｒ））の連続した前方側斜視図である。記号「（Ｒ）」は、「第１挟入挟持部（801）が正面向かって右（Ｒｉｇｈｔ）側に形成したタイプ」を示している。
【図１９】内部摺動板を備えたスタンドカード（タイプＳＣＤ.1（Ｒ））の連続した端辺側斜視図である。記号「（Ｒ）」は、「第１挟入挟持部（801）が正面向かって右（Ｒｉｇｈｔ）側に形成したタイプ」を示している。
【図２０】内部摺動板を備えたスタンドカード（タイプＳＣＤ.1（Ｒ））の連続した後方側斜視図である。記号「（Ｒ）」は、「第１挟入挟持部（801）が正面向かって右（Ｒｉｇｈｔ）側に形成したタイプ」を示している。
【図２１】内部摺動板を備えたスタンドカード（タイプＳＣＤ.1（Ｌ））の連続した前方側斜視図である。記号「（Ｌ）」は、「第１挟入挟持部（801）が正面向かって左（Ｌｅｆｔ）側に形成したタイプ」を示している。
【図２２】内部摺動板を備えたスタンドカード（タイプＳＣＤ.1（Ｌ））の連続した後方側斜視図である。記号「（Ｌ）」は、「第１挟入挟持部（801）が正面向かって左（Ｌｅｆｔ）側に形成したタイプ」を示している。
【図２３】内部摺動板を備えたスタンドカード（タイプＳＣＤ.2（Ｒ））の連続した前方側斜視図である。記号「（Ｒ）」は、「第１挟入挟持部（801）が正面向かって右（Ｒｉｇｈｔ）側に形成したタイプ」を示している。
【図２４】内部摺動板を備えたスタンドカード（タイプＳＣＤ.2（Ｒ））の連続した端辺側斜視図である。記号「（Ｒ）」は、「第１挟入挟持部（801）が正面向かって右（Ｒｉｇｈｔ）側に形成したタイプ」を示している。
【図２５】内部摺動板を備えたスタンドカード（タイプＳＣＤ.2（Ｒ））の連続した後方側斜視図である。記号「（Ｒ）」は、「第１挟入挟持部（801）が正面向かって右（Ｒｉｇｈｔ）側に形成したタイプ」を示している。
【図２６】内部摺動板を備えたスタンドカード（タイプＳＣＤ.2（Ｌ））の連続した前方側斜視図である。記号「（Ｌ）」は、「第１挟入挟持部（801）が正面向かって左（Ｌｅｆｔ）側に形成したタイプ」を示している。
【図２７】内部摺動板を備えたスタンドカード（タイプＳＣＤ.2（Ｌ））の連続した後方側斜視図である。記号「（Ｌ）」は、「第１挟入挟持部（801）が正面向かって左（Ｌｅｆｔ）側に形成したタイプ」を示している。
【発明を実施するための形態】
【００１９】
本発明の実施例を図面に沿って以下に説明するが、これら図面に限定されるものではない。
【００２０】
なお、本発明の全体概要を全体系統図（図5）に示しており、「内部摺動板を備えたスタンドカード」を総称して記号「ＳＣＤ」で表現している。スタンドカードの具体的タイプとしては大きく2種類（タイプＳＣＤ.1、タイプＳＣＤ.2）あり、さらに系統立てて細分化している。「請求項1〜7」を記号「ＣＬ1〜ＣＬ7」で表現して図面にも付しているので参考にされたい。また、後半の文章や図面にみられる記号「（Ｒ）、（Ｌ）」の表現は、「第１挟入挟持部（801）が正面向かって右（Ｒｉｇｈｔ）側に形成したタイプか、左（Ｌｅｆｔ）側に形成したタイプか」を示している。
【実施例１】
【００２１】
実施例1は、「１枚の内部摺動板を備えたスタンドカード（タイプＳＣＤ.1）」を示したものである。実施例1（タイプＳＣＤ.1）を、図6〜9、図18〜22に基づいて説明する。（基本構造については「課題を解決するための手段の前段（請求項1、2）」でも説明しているので、そちらも参考にされたい。）
【００２２】
図6は、内部摺動板を備えたスタンドカード（タイプＳＣＤ.1（ＣＬ3）：請求項3）の斜視図であり、図7は、内部摺動板を備えたスタンドカード（タイプＳＣＤ.1（ＣＬ3）：請求項3）の分解図である。  
図6、7をみてわかるように、カード本体（10）から1枚の内部摺動板（51）を引き抜くように摺動させ、折曲線（106）で折曲した立設用折曲片部（61）で本体を立てて、挟入挟持部（801、802）をカード本体（10）の前面側及び端辺側に任意に露出形成している。さらに、基板片第１端辺（701）と基板片第2端辺（702）の位置を左右に入れ替えて差し込むことで、対峙させた挟入挟持部（801、802）の位置を左右に入れ替えて利用できる。  
詳しくは、請求項3に記載の内部摺動板を備えたスタンドカードは、  内部に1枚の摺動板を備え、本体を立設して利用できるスタンドカードであって、請求項1〜2の構成要件に加えて、  Ａ.空隙部（30）に摺動可能に備えられた1枚の内部摺動板（51）と、  Ｂ.内部摺動板（51）の片側の片部をなし、外方へ引き抜いて折曲線（106）で折曲する立設用折曲片部（６1）と、  Ｃ.内部摺動板（51）の一部を構成する基板片部（71）と、  Ｄ.基板片部（71）の前面に取り付けられ、片部材が透明又は半透明である可撓性挟持板片部（8１、82）と、  Ｅ.基板片部（71）の前面に設けられた挟入挟持部（801、802）と、  Ｆ.基板片部（71）の一方の端をなす基板片第１端辺（701）と、他方の端をなす基板片第2端辺（702）と、  Ｇ.カード本体（10）の一方の端辺を欠切した押出用欠切部（41）と、  Ｈ.内部摺動板（51）の端辺側の一部を欠切した引抜き用欠切部（46）とからなり、  Ｉ.スタンドカードとして立設して利用する場合は、立設手段（60）として立設用折曲片部（６１）を用いてカード本体（10）を立設するとともに、  Ｊ.基板片第１端辺（701）と基板片第2端辺（70２）の位置を左右に入れ替えて、内部摺動板（51）を空隙部（30）に差し込むことで、対峙させた挟入挟持部（801、802）の位置を左右に入れ替えて露出形成し、挟持対象物（16）を立設挟持する実施形態である。
【００２３】
図8は、内部摺動板を備えたスタンドカード（タイプＳＣＤ.1）の利用例1であり、図9は、  内部摺動板を備えたスタンドカード（タイプＳＣＤ.1）の利用例2である。挟入挟持部（801、802）に名刺やカレンダーカードを立設挟持した例であり、同じように写真、絵葉書、メモ紙等も立設挟持できることを示している。
【００２４】
図18は、内部摺動板を備えたスタンドカード（タイプＳＣＤ.1（Ｒ））の連続した前方側斜視図であり、図19は、内部摺動板を備えたスタンドカード（タイプＳＣＤ.1（Ｒ））の連続した端辺側斜視図であり、図20は、内部摺動板を備えたスタンドカード（タイプＳＣＤ.1（Ｒ））の連続した後方側斜視図である。記号「（Ｒ）」は、「第１挟入挟持部（801）が正面向かって右（Ｒｉｇｈｔ）側に形成したタイプ」を示している。  
【００２５】
図21は、内部摺動板を備えたスタンドカード（タイプＳＣＤ.1（Ｌ））の連続した前方側斜視図であり、図22は、内部摺動板を備えたスタンドカード（タイプＳＣＤ.1（Ｌ））の連続した後方側斜視図である。記号「（Ｌ）」は、「第１挟入挟持部（801）が正面向かって左（Ｌｅｆｔ）側に形成したタイプ」を示している。
【実施例２】
【００２６】
実施例2は、「2枚の内部摺動板を備えたスタンドカード（タイプＳＣＤ.2）」を示したものである。実施例2（タイプＳＣＤ.2）を、図10〜13、図23〜27に基づいて説明する。
【００２７】
図10は、内部摺動板を備えたスタンドカード（タイプＳＣＤ.2（ＣＬ4）：請求項4）の斜視図であり、図11は、内部摺動板を備えたスタンドカード（タイプＳＣＤ.2（ＣＬ4）：請求項4）の分解図である。  
図10、11をみてわかるように、カード本体（10）から2枚の内部摺動板（52、53）を引き抜くように摺動させ、折曲線（107）で折曲した立設用折曲片部（６2）で本体を立てて、挟入挟持部（801、802）をカード本体（10）の前面側及び端辺側に任意に露出形成している。さらに、基板片第１端辺（703）と基板片第2端辺（704）の位置を左右に入れ替えて差し込むことで、対峙させた挟入挟持部（801、802）の位置を左右に入れ替えて利用できる。  
詳しくは、  請求項4に記載の内部摺動板を備えたスタンドカードは、内部に2枚の摺動板を備え、本体を立設して利用できるスタンドカードであって、請求項1〜2の構成要件に加えて、  Ａ.空隙部（30）に摺動可能に備えられた第1内部摺動板（52）と第２内部摺動板（53）と、  Ｂ.第1内部摺動板（52）の片側の片部をなし、外方へ引き抜いて折曲線（107）で折曲する立設用折曲片部（６2）と、  Ｃ.第２内部摺動板（53）の略全体で構成する基板片部（72）と、  Ｄ.基板片部（72）の前面に取り付けられ、片部材が透明又は半透明である可撓性挟持板片部（8１、82）と、  Ｅ.基板片部（72）の前面に設けられた挟入挟持部（801、802）と、  Ｆ.基板片部（72）の一方の端をなす基板片第１端辺（703）と、他方の端をなす基板片第2端辺（704）と、  Ｇ.カード本体（10）の一方の端辺を欠切した押出用欠切部（41）と、  Ｈ.第1内部摺動板（52）の端辺側の一部を欠切して係合引抜きする、引抜き用欠切部（47）と、  Ｉ.第２内部摺動板（53）の端辺側の一部を欠切して係合引抜きする、引抜き用欠切部（48）とからなり、  Ｊ.スタンドカードとして立設して利用する場合は、立設手段（60）として立設用折曲片部（６２）を用いてカード本体（10）を立設するとともに、  Ｋ.基板片第１端辺（703）と基板片第2端辺（704）の位置を左右に入れ替えて、内部摺動板（53）を空隙部（30）に差し込むことで、対峙させた挟入挟持部（801、802）の位置を左右に入れ替えて挟持対象物（16）を立設挟持する実施形態である。
【００２８】
図12は、内部摺動板を備えたスタンドカード（タイプＳＣＤ.2）の利用例1であり、図13は、内部摺動板を備えたスタンドカード（タイプＳＣＤ.2）の利用例2である。挟入挟持部（801、802）に名刺やカレンダーカードを立設挟持した例であり、同じように写真、絵葉書、メモ紙等も立設挟持できることを示している。  
【００２９】
図23は、内部摺動板を備えたスタンドカード（タイプＳＣＤ.2（Ｒ））の連続した前方側斜視図であり、図24は、内部摺動板を備えたスタンドカード（タイプＳＣＤ.2（Ｒ））の連続した端辺側斜視図であり、図25は、内部摺動板を備えたスタンドカード（タイプＳＣＤ.2（Ｒ））の連続した後方側斜視図である。記号「（Ｒ）」は、「第１挟入挟持部（801）が正面向かって右（Ｒｉｇｈｔ）側に形成したタイプ」を示している。  
【００３０】
図26は、内部摺動板を備えたスタンドカード（タイプＳＣＤ.2（Ｌ））の連続した前方側斜視図であり、図27は、内部摺動板を備えたスタンドカード（タイプＳＣＤ.2（Ｌ））の連続した後方側斜視図である。記号「（Ｌ）」は、「第１挟入挟持部（801）が正面向かって左（Ｌｅｆｔ）側に形成したタイプ」を示している。  
【実施例３】
【００３１】
実施例3は、「１枚の内部摺動板を備えたスタンドカード（タイプＳＣＤ.1）」をさらに発展させて利用した例である。実施例3（タイプＳＣＤ.1-1〜1-3）を、図14〜15に基づいて説明する。
【００３２】
図14は、内部摺動板を備えたスタンドカード（タイプＳＣＤ.1（ＣＬ5〜7）：請求項5〜7）の斜視図であり、図15は、内部摺動板を備えたスタンドカード（タイプＳＣＤ.1（ＣＬ5〜7）：請求項5〜7）の利用例である。
タイプＳＣＤ.1の形態を用いて、カード本体（10）を名刺・カレンダー等の用途に利用したり、基板片部（70）の表側面に設けた情報表示部（15）を使ってメッセージ表示したり、ゼムクリップ挿入部（31）に差し込んだゼムクリップを用いて本体前面に他の名刺等を背を高くして挟持したりすることができ（これは大きなメモ紙を立てる背面板としても有効である）、このように、さらに多機能な使い方ができるのである。
【実施例４】
【００３３】
実施例4は、「2枚の内部摺動板を備えたスタンドカード（タイプＳＣＤ.2）」をさらに発展させて利用した例である。実施例4（タイプＳＣＤ.2-1〜2-3）を、図16〜17に基づいて説明する。
【００３４】
図16は、内部摺動板を備えたスタンドカード（タイプＳＣＤ.2（ＣＬ5〜7）：請求項5〜7）の斜視図であり、図17は、内部摺動板を備えたスタンドカード（タイプＳＣＤ.2（ＣＬ5〜7）：請求項5〜7）の利用例である。  
タイプＳＣＤ.2の形態を用いて、カード本体（10）を名刺・カレンダー等の用途に利用したり、基板片部（70）の表側面又は裏側面に設けた情報表示部（15）を使ってメッセージ表示したり、ゼムクリップ挿入部（31）に差し込んだゼムクリップを用いて本体前面に他の名刺等を背を高くして挟持したりすることができ（これは大きなメモ紙を立てる背面板としても有効である）、このように、さらに多機能な使い方ができるのである。
【符号の説明】
【００３５】
10    カード本体  
15    情報表示部
16    挟持対象物  
20    平板  
21    表側平板  
22    裏側平板
23    上端接合板
24    下端接合板
30    空隙部
31    ゼムクリップ挿入部
40    押出用欠切部  
41    押出用欠切部
46    引抜き用欠切部
47    引抜き用欠切部
48    引抜き用欠切部
50    内部摺動板
51    内部摺動板
52    第1内部摺動板
53    第２内部摺動板
60    立設手段  
61    立設用折曲片部
62    立設用折曲片部
70    基板片部
71    基板片部
72    基板片部
80    可撓性挟持板
81    第１可撓性挟持板片部
82    第２可撓性挟持板片部
90    接着固定部  
106    折曲線
107    折曲線
701    基板片第１端辺
702    基板片第2端辺
703    基板片第１端辺
704    基板片第2端辺
800    挟入挟持部
801    第1挟入挟持部
802    第2挟入挟持部
850    挟持部辺長
851    第1挟持部辺長
852    第2挟持部辺長
【図１】
2012218152.tif 000003
【図２】
2012218152.tif 000004
【図３】
2012218152.tif 000005
【図４】
2012218152.tif 000006
【図５】
2012218152.tif 000007
【図６】
2012218152.tif 000008
【図７】
2012218152.tif 000009
【図８】
2012218152.tif 000010
【図９】
2012218152.tif 000011
【図１０】
2012218152.tif 000012
【図１１】
2012218152.tif 000013
【図１２】
2012218152.tif 000014
【図１３】
2012218152.tif 000015
【図１４】
2012218152.tif 000016
【図１５】
2012218152.tif 000017
【図１６】
2012218152.tif 000018
【図１７】
2012218152.tif 000019
【図１８】
2012218152.tif 000020
【図１９】
2012218152.tif 000021
【図２０】
2012218152.tif 000022
【図２１】
2012218152.tif 000023
【図２２】
2012218152.tif 000024
【図２３】
2012218152.tif 000025
【図２４】
2012218152.tif 000026
【図２５】
2012218152.tif 000027
【図２６】
2012218152.tif 000028
【図２７】
2012218152.tif 000029